(57)【特許請求の範囲】
【請求項１】
管状の放電路が長手方向中央部を中心として略同一平面に沿って２重渦巻状に旋回された発光管と、前記発光管の両端部にそれぞれ設けられた一対の口金と、前記口金に設けられている一対のランプピンであって、各ランプピンが、前記略同一平面に直交する方向に配置されると共に、前記発光管の軸方向に沿って延びる一対のランプピンと、前記一対の口金間を連結支持するブリッジとを備えた平面らせん形蛍光ランプと、
前記一対のランプピンと電気的に接続されて前記蛍光ランプに電力を供給するとともに、前記一対のランプピンを挿入するためのランプピン挿入溝を有するランプソケットと、
前記蛍光ランプを保持するランプ支持バネと、
前記ランプソケットおよび前記ランプ支持バネを介して前記蛍光ランプを内部に保持する器具本体と、
前記器具本体に取付けられて前記蛍光ランプの前面を覆うパネルと、を備え、
前記一対のランプピンの各々は、一端が前記発光管の軸方向に沿って突出し、他端が前記発光管の内側端部に設けられているフィラメントに接続されており、
前記管状の放電路の前記長手方向中央部が、発光管の中央部であり、かつ前記発光管のうちの最も温度が低い地点である最冷点でもあり、
かつ、前記ランプ支持バネは、熱伝導性のよい材料で形成されるとともに、前記管状の放電路の長手方向における、前記一対の口金の各々と前記発光管の最冷点との間であって、前記発光管の端部における前記一対の口金の各々に隣り合う、前記フィラメントに対応する部分を、側面から保持し、
さらに、前記ランプ支持バネは、前記発光管の円弧に対応する形状をもつ保持部と、前記保持部の上端部において外側に折り返されて、前記平面らせん形蛍光ランプを前記ランプ支持バネに取り付けやすくしている折り返し部と、を有しており、前記保持部は支持部を介して前記器具本体に取り付けられていることを特徴とする照明器具。
【請求項２】
前記ランプ支持バネにおいて前記発光管に接する面に、弾性を有する難燃性の薄肉層を設けたことを特徴とする請求項１記載の照明器具。
【発明の詳細な説明】
【技術分野】
【０００１】
本発明は、管状の放電路が長手方向中央部を中心として略同一平面に沿って２重渦巻状に旋回された蛍光ランプを有する照明器具に関するものである。
【背景技術】
【０００２】
従来より、蛍光ランプの発光管をランプ支持バネにより保持する照明器具が知られている（例えば特許文献１、２参照）。
【０００３】
図７に示すように、特許文献１に記載の照明器具１００は、器具本体１０１を有しており、器具本体１０１に着脱自在に装着する大径の環状蛍光ランプ１０２および小径の環状蛍光ランプ１０３を同心状に有している。大径および小径の環状蛍光ランプ１０２、１０３には、単一の口金１０４が取付けられている。また、大径および小径の環状蛍光ランプ１０２、１０３の発光管の間にはブリッジ１０５が設けられている。これらの環状蛍光ランプ１０２、１０３は、複数個のランプ支持バネ１０６によって器具本体１０１に保持されている。
【０００４】
また、図８（Ａ）〜（Ｃ）に示すように、特許文献２に記載の蛍光ランプ１１０は、管状の放電路が長手方向中央部１１１ａを中心として略同一平面に沿って２重渦巻状に旋回された発光管１１１を有しており、裏面（発光面と反対側）において中央部１１１ａを通って発光管１１１の両端部１１１ｂ、１１１ｂを連結するブリッジ１１２が設けられている。ブリッジ１１２の中央部には、裏側に突出して口金１１３が設けられており、口金１１３の中央には、ランプピン１１４が設けられている。また、ブリッジ１１２から蛍光ランプ１１０を貫通して複数の発光管保持部材１１２ａ、１１２ａが設けられており、発光管１１１の途中部分を保持している。さらに、口金１１３から裏側に突出して一対の保持取っ手１１３ａ、１１３ａが設けられている。
【０００５】
また、発光管１１１の両端部１１１ｂ、１１１ｂ内部には、電極としてタングステンフィラメントコイル電極１１５、１１５が封着されており、電極リード線（図示省略）間に架設されている。電極リード線は、ブリッジ１１２に沿って口金１１３まで延設されており、ランプピン１１４に接続されている。発光管１１１の両端部１１１ｂ、１１１ｂには、発光管保持部１１６、１１６が設けられている。
【特許文献１】特開２０００−２３１８２３号公報（第１図）
【特許文献２】特開２００７−２７３３３６号公報（第２図）
【発明の開示】
【発明が解決しようとする課題】
【０００６】
しかしながら、前述した特許文献１、２に記載の照明器具では、蛍光ランプ１０２、１０３、１１０を点灯するとフィラメントが設けられている発光管端部が高温になるため、蛍光ランプ１０２、１０３、１１０の前面を覆うカバーと蛍光ランプ１０２、１０３、１１０との間には十分な間隔を設ける必要があり、照明器具の薄型化を妨げているという問題があった。
【０００７】
本発明は、従来の問題を解決するためになされたもので、蛍光ランプを用いた薄型化を図ることができる照明器具を提供することを目的とする。
【課題を解決するための手段】
【０００８】
本発明の照明器具は、管状の放電路が長手方向中央部を中心として略同一平面に沿って２重渦巻状に旋回された発光管と、前記発光管の両端部にそれぞれ設けられた一対の口金と、前記口金に設けられている一対のランプピンであって、各ランプピンが、前記略同一平面に直交する方向に配置されると共に、前記発光管の軸方向に沿って延びる一対のランプピンと、前記一対の口金間を連結支持するブリッジとを備えた平面らせん形蛍光ランプと、前記一対のランプピンと電気的に接続されて前記蛍光ランプに電力を供給するとともに、前記一対のランプピンを挿入するためのランプピン挿入溝を有するランプソケットと、前記蛍光ランプを保持するランプ支持バネと、前記ランプソケットおよび前記ランプ支持バネを介して前記蛍光ランプを内部に保持する器具本体と、前記器具本体に取付けられて前記蛍光ランプの前面を覆うパネルと、を備え、前記一対のランプピンの各々は、一端が前記発光管の軸方向に沿って突出し、他端が前記発光管の内側端部に設けられているフィラメントに接続されており、前記管状の放電路の前記長手方向中央部が、発光管の中央部であり、かつ前記発光管のうちの最も温度が低い地点である最冷点でもあり、かつ、前記ランプ支持バネは、熱伝導性のよい材料で形成されるとともに、前記管状の放電路の長手方向における、前記一対の口金の各々と前記発光管の最冷点との間であって、前記発光管の端部における前記一対の口金の各々に隣り合う、前記フィラメントに対応する部分を、側面から保持し、さらに、前記ランプ支持バネは、前記発光管の円弧に対応する形状をもつ保持部と、前記保持部の上端部において外側に折り返されて、前記平面らせん形蛍光ランプを前記ランプ支持バネに取り付けやすくしている折り返し部と、を有しており、前記保持部は支持部を介して前記器具本体に取り付けられている構成を有している。
【０００９】
この構成により、蛍光ランプを保持するランプ支持バネを熱導電性のよい材料（例えば、ＳＫ材やＳＵＳ等の金属）で形成し、フィラメントによって加熱される発光管の端部を保持するので、発光管の熱をランプ支持バネを通じて器具本体に逃がすことができ、発光管の温度上昇を抑えることができる。これに伴い、蛍光ランプとパネルとの間隔を小さくすることができ、照明器具の薄型化を図ることができる。
【００１０】
また、本発明の照明器具は、前記ランプ支持バネにおいて前記発光管に接する面に、弾性を有する難燃性の薄肉層を設けた構成を有している。
【００１１】
この構成により、ランプ支持バネの発光管に接する面に、弾性を有する難燃性（例えば、シリコン等）の薄肉層（例えば、０．５ｍｍ〜１．０ｍｍ厚）を設けたので、蛍光ランプの発光管に密着することができ、効率的に発光管の熱がランプ支持バネに伝熱し、さらに器具本体に伝熱して放熱することができる。
【発明の効果】
【００１２】
本発明は、蛍光ランプを保持するランプ支持バネを熱導電性のよい材料で形成し、フィラメントによって加熱される発光管の端部を保持するので、発光管の熱をランプ支持バネを通じて器具本体に逃がすことができ、発光管の温度上昇を抑えることができる。これに伴い、蛍光ランプとパネルとの間隔を小さくすることができ、照明器具の薄型化を図ることができるという効果を有する照明器具を提供することができるものである。
【発明を実施するための最良の形態】
【００１３】
以下、本発明の実施の形態の照明器具について、図面を用いて説明する。
図１は本発明の第１実施形態にかかる照明器具を示す分解斜視図、図２（Ａ）は平面らせん形蛍光灯の平面図、図２（Ｂ）は図２（Ａ）中Ｂ方向から見た正面図、図３はランプソケットの斜視図、図４（Ａ）はランプ支持バネの正面図、図４（Ｂ）は側面図、図５（Ａ）はランプ支持バネの取付位置を示す斜視図、図５（Ｂ）は平面らせん形蛍光灯をランプ支持バネで保持した状態を示す斜視図、図６（Ａ）は平面らせん形蛍光灯を反射板に装着した状態を示す平面図、図６（Ｂ）は側面図、図６（Ｃ）は平面図である。
【００１４】
図１に示すように、本発明にかかる照明器具１０は、天井や壁等の壁面１１に固定して使用するものであり、例えば矩形箱状の器具本体１２と、器具本体１２の前面開口を覆う透明あるいは半透明の樹脂等からなるパネル１３を有している。器具本体１２の底板１２ａには、一方の端部寄りに商用交流電源（図示省略）に接続されている点灯装置１４等の電気部品が取付けられており、点灯装置１４等を覆うとともにパネル１３を取付けるための取付板１５が設けられている。パネル１３は、ネジ１３ａを取付板１５のネジ穴１５ａに螺合し、締め付けることにより着脱可能に取付けられる。
【００１５】
また、底板１２の中央部および他方の端部よりには、蛍光ランプとしての平面らせん形蛍光灯２０の照明光をパネル１３側に反射して照明効率を向上させる反射板１６が設けられており、反射板１６の上面に、平面らせん形蛍光灯２０を装着するための一対のランプソケット１７、１７が取付けられている。これらランプソケット１７、１７は、電源線（図示省略）によって、点灯装置１４に接続されている。そして、器具本体１２における平面らせん形蛍光灯２０に対向する面である反射板１６の上面には、平面らせん形蛍光灯２０をランプソケット１７に装着した際に、平面らせん形蛍光灯２０を保持するランプ支持バネ１８が設けられている。
【００１６】
図２に示すように、平面らせん形蛍光灯２０は、管状の放電路が長手方向中央部２２ａを始点として同一平面に沿って２重渦巻状に旋回された発光管２２を有しており、発光管２２の中央部２２ａは、その他の部分に比して太径となっており、最冷点となっている。発光管２２の両端部にはそれぞれ口金２３、２３が取付けられており、両口金２３、２３は、発光管２２の中央部２２ａに対して、点対称の位置に設けられている。なお、両口金２３、２３は、照射方向と反対側の裏面に設けられたブリッジ２４によって連結されている。また、各口金２３、２３には、平面らせん形蛍光灯２０の平面に直交する方向に一対のランプピン２１が一端を発光管２２の軸方向に沿って突出して設けられており、他端は発光管２２の内側端部に設けられているフィラメント２５（図５（Ａ）参照）に接続されている。
【００１７】
図３に示すように、ランプソケット１７は、例えば円柱状の本体１７ａを有しており、本体１７ａにはランプピン２１を挿入するためのランプピン挿入溝１７ｂが設けられている。ランプピン挿入溝１７ｂの内部には、一対のランプピン２１、２１を保持して導通するために一対の導電板１７ｃ、１７ｃが設けられている。また、本体１７ａの外周面に沿ってランプピン挿入溝１７ｂを閉じる開閉蓋１７ｄが設けられている。
【００１８】
図４（Ａ）、（Ｂ）に示すように、ランプ支持バネ１８は、発光管２２端部のフィラメント２５に対応する部分２２ｂを側面から保持する保持部１８ａを有しており、保持部１８ａは支持部１８ｂおよびベース部１８ｃを介して反射板１６にネジ等により取付けられる。また、保持部１８ａの上端部は外側へ折り返した折り返し部１８ｄが設けられており、平面らせん形蛍光灯２０をランプ支持バネ１８に取付けやすくしている。
【００１９】
ランプ支持バネ１８は、熱伝導性がよく、放熱性がよい、例えばＳＫ材やＳＵＳ等の金属により形成する。ランプ支持バネ１８は、平面らせん形蛍光灯２０を取付ける前は、平面らせん形蛍光灯２０の位置よりも図４（Ｂ）中矢印Ａ方向に偏って取付けられており、平面らせん形蛍光灯２０を取付けた際に、矢印Ａ方向へ付勢されて確実に保持するようになっている。
【００２０】
また、発光管２２と接する箇所、すなわち保持部１８ａおよび折り返し部１８ｄには、少なくとも発光管２２側の面（図４（Ｂ）においては右面）に、弾性を有する難燃性の材料、例えばシリコン等により形成された薄肉層１９（例えば、０．５ｍｍ〜１．０ｍｍ厚）を設けるのが望ましい。これにより、ランプ支持バネ１８は平面らせん形蛍光灯２０の発光管２２に密着することができ、効率的に発光管２２の熱がランプ支持バネ１８に伝熱し、さらに器具本体１２に伝熱して放熱することができる。なお、図４においては、保持部１８ａおよび折り返し部１８ｄの両面に薄肉層１９を設けた場合が示されている。
【００２１】
平面らせん形蛍光灯２０を器具本体１２に取付ける際には、図５（Ａ）に示すように、平面らせん形蛍光灯２０の両端の口金２３、２３に設けられているランプピン２１、２１を、ランプソケット１７のランプピン挿入溝１７ａに位置決めする。そして、ランプピン２１をランプソケット１７の内部に挿入し、発光管２２のフィラメント対応部分２２ｂをランプ支持バネ１８の保持部１８ａにより保持する（図５（Ｂ）参照）。その後、ランプソケット１７の取っ手１７ｅを操作して開閉蓋１７ｄを閉じることにより固定する（図６（Ａ）〜（Ｃ）参照）。
【００２２】
以上、説明した照明器具１０によれば、平面らせん形蛍光灯２０を保持するランプ支持バネ１８を熱導電性のよい材料で形成し、フィラメント２５によって加熱される発光管２２の端部を保持するので、発光管２２の熱をランプ支持バネ１８を通じて器具本体１２に逃がすことができ、発光管２２の温度上昇を抑えることができる。これに伴い、平面らせん形蛍光灯２０とパネル１３との間隔を小さくすることができ、照明器具１０の薄型化を図ることができる。
【００２３】
なお、本発明の照明器具は、前述した実施形態に限定されるものでなく、適宜な変形，改良等が可能である。
例えば、前述した各実施形態においては、矩形箱状の器具本体１２を例示したが、これに限らず、例えば円形箱状等にも適用できる。
【図面の簡単な説明】
【００２４】
【図１】本発明の第１実施形態にかかる照明器具を示す分解斜視図
【図２】（Ａ）は平面らせん形蛍光灯の平面図、（Ｂ）は図２（Ａ）中Ｂ方向から見た正面図
【図３】ランプソケットの斜視図
【図４】（Ａ）はランプ支持バネの正面図、（Ｂ）は側面図
【図５】（Ａ）はランプ支持バネの取付位置を示す斜視図、（Ｂ）は平面らせん形蛍光灯をランプ支持バネで保持した状態を示す斜視図
【図６】（Ａ）は平面らせん形蛍光灯を反射板に装着した状態を示す平面図、（Ｂ）は側面図、（Ｃ）は平面図
【図７】従来の照明器具を示す斜視図
【図８】（Ａ）は従来の蛍光ランプを示す光照射面側から見た斜視図、（Ｂ）は反対側から見た斜視図、（Ｃ）は平面図
【符号の説明】
【００２５】
１０  照明器具
１２  器具本体
１３  パネル
１６  反射板（対向する面）
１７  ランプソケット
１８  ランプ支持バネ
１９  薄肉層
２０  平面らせん形蛍光灯（蛍光ランプ）
２１  ランプピン
２２  発光管
２２ａ  中央部
２２ｂ  フィラメントに対応する部分
２３  口金
２４  ブリッジ
２５  フィラメント
【図１】
0005127044.tif 000002
【図２】
0005127044.tif 000003
【図３】
0005127044.tif 000004
【図４】
0005127044.tif 000005
【図５】
0005127044.tif 000006
【図６】
0005127044.tif 000007
【図７】
0005127044.tif 000008
【図８】
0005127044.tif 000009